(57)【要約】【課題】  屋根全体を支える垂木に固定できて長期の寿命を有し、しかも雨漏り等を生じにくいソーラパネル支持金具の取付け構造及びソーラパネル支持金具を提供する。【解決手段】  下地材１４の上に取付け金具１１のベース板１５を固定すると共に、ベース板１５を、ベース板１５の縦方向に対しては移動しないが横方向に調整移動可能な長尺板１２を用いて、押圧状態で下地材１４を貫通して垂木１３に固定し、しかも、取付け金具１１の支持部材１６の上部は瓦３１に形成された開口部３３から上方に突出させる。【選択図】        図１
2005098094.tif 000002
【特許請求の範囲】
【請求項１】
隙間を開けて配置された複数の垂木の上に設けられた下地材上に瓦が並べて配置された屋根に、ベース板及び該ベース板に立設されソーラパネルをその上部に取付ける支持部材を備える取付け金具を、該取付け金具とは別の金属製の長尺板を用いて固定するソーラパネル支持金具の取付け構造であって、
前記下地材の上に前記ベース板を固定すると共に、該ベース板を、該ベース板の縦方向に対しては移動しないが横方向に調整移動可能な前記長尺板を用いて、押圧状態で前記下地材を貫通して前記垂木に固定し、しかも、前記支持部材の上部は前記瓦に形成された切欠き又は開口部から上方に突出させていることを特徴とするソーラパネル支持金具の取付け構造。
【請求項２】
請求項１記載のソーラパネル支持金具の取付け構造において、前記長尺板には長さ方向に小間隔で取付け孔が形成されていることを特徴とするソーラパネル支持金具の取付け構造。
【請求項３】
隙間を開けて配置された複数の垂木の上に設けられた下地材上に瓦が並べて配置された屋根に、ソーラパネルを取付けるソーラパネル支持金具であって、
（１）前記下地材上に固定されるベース板と、前記ベース板上に立設され対向配置して固着される支持柱を備え上部にそれぞれねじ止め手段が設けられた支持部材を有する取付け金具と、
（２）前記ベース板の直上で前記対となる支持柱の間に配置され、前記ベース板の両側より突出する部分を前記垂木にねじ又は釘を介して固定して、前記ベース板を押圧状態で前記下地材に固定する金属製の長尺板とを有することを特徴とするソーラパネル支持金具。
【請求項４】
隙間を開けて配置された複数の垂木の上に設けられた下地材上に瓦が並べて配置された屋根に、ソーラパネルを取付けるソーラパネル支持金具であって、
（１）前記垂木に、前記下地材の上からねじ又は釘を介して固定される金属製の長尺板と、
（２）前記下地材上に固定されるベース板と、下部に前記長尺板を横方向に挿通する貫通部を有し、下端が前記ベース板に固定され、上部にはねじ止め手段が設けられた支持部材とを備える取付け金具とを有することを特徴とするソーラパネル支持金具。
【請求項５】
請求項３記載のソーラパネル支持金具において、前記ねじ止め手段には、前記対となる支持柱の上から跨がって配置される断面逆Ｕ字状の固定金具が取付けられ、該固定金具に前記ソーラパネルの取付け枠の高さ調整を可能とする高さ調整手段が設けられていることを特徴とするソーラパネル支持金具。
【請求項６】
請求項４記載のソーラパネル支持金具において、前記ねじ止め手段には、前記ソーラパネルの取付け枠の高さ調整を可能とする高さ調整手段が設けられていることを特徴とするソーラパネル支持金具。
【請求項７】
請求項５及び６のいずれか１項に記載のソーラパネル支持金具において、前記高さ調整手段は、長尺の雄ねじと、該雄ねじに螺合する雌ねじと、前記雄ねじに挿通する貫通孔を有し、しかも前記雌ねじの上に設けられる載置台とを有することを特徴とするソーラパネル支持金具。
【請求項８】
請求項３〜７のいずれか１項に記載のソーラパネル支持金具において、前記長尺板は、長さ方向に小間隔で取付け孔が設けられていることを特徴とするソーラパネル支持金具。
【発明の詳細な説明】
【技術分野】
【０００１】
本発明は、ソーラパネル（太陽熱温水器、ソーラバッテリを含む）を瓦屋根に取付ける場合に使用するソーラパネル支持金具及びその取付け構造に関する。
【背景技術】
【０００２】
瓦屋根にソーラパネルを取付ける場合には、例えば、特許文献１に記載されているように、アルミニウム等によって瓦（アルミ製瓦）を構成し、その上に取付け金具を取付けたものが提案されていた。
また、防水シートが被さっている野地板（下地材）の上に幅の広い木製板を固定し、この木製板の上に瓦の上に部分的に被さる固定金具を取付け、複数（通常４つ以上）のこの固定金具を介してソーラパネルを屋根に固定していた。勿論、木製板は釘等を介して野地板を支える垂木に固定されていた。
【０００３】
【特許文献１】特開平６−１５８７９２号公報（図１〜図３）
【発明の開示】
【発明が解決しようとする課題】
【０００４】
しかしながら、前記特許文献１記載の技術においては、アルミ製瓦に直接ソーラパネルが取付けられる構造とはなっているが、アルミ製の瓦は、他の陶器やセメント瓦と同じような手段で、下部の比較的強度が大きくない野地板に取付けられているので、大型の台風等があった場合、取付けられていたソーラパネルが外れるという問題があった。
そして、固定金具を使用してソーラパネルを支持する場合には、ソーラパネルの荷重が固定金具を介して瓦の上にも被さり、瓦（特に、セメント瓦）が割れやすいという問題があった。また、固定金具は瓦の低い部分（即ち、雨水の通路）に配置されるので、排水性が悪くなり、雨漏りの原因となっていた。
【０００５】
本発明はかかる事情に鑑みてなされたもので、屋根全体を支える垂木に容易に固定できて長期の寿命を有し、しかも雨漏り等を生じにくいソーラパネル支持金具の取付け構造及びソーラパネル支持金具を提供することを目的とする。
【課題を解決するための手段】
【０００６】
前記目的に沿う請求項１記載のソーラパネル支持金具の取付け構造は、隙間を開けて配置された複数の垂木の上に設けられた下地材上に瓦が並べて配置された屋根に、ベース板及び該ベース板に立設されソーラパネルをその上部に取付ける支持部材を備える取付け金具を、該取付け金具とは別の金属製の長尺板を用いて固定するソーラパネル支持金具の取付け構造であって、
前記下地材の上に前記ベース板を固定すると共に、該ベース板を、該ベース板の縦方向に対しては移動しないが横方向に調整移動可能な前記長尺板を用いて、押圧状態で前記下地材を貫通して前記垂木に固定し、しかも、前記支持部材の上部は前記瓦に形成された切欠き又は開口部から上方に突出させている。
【０００７】
請求項２記載のソーラパネル支持金具の取付け構造は、請求項１記載のソーラパネル支持金具の取付け構造において、前記長尺板には長さ方向に小間隔で取付け孔が形成されている。
【０００８】
請求項３記載のソーラパネル支持金具は、隙間を開けて配置された複数の垂木の上に設けられた下地材上に瓦が並べて配置された屋根に、ソーラパネルを取付けるソーラパネル支持金具であって、
（１）前記下地材上に固定されるベース板と、前記ベース板上に立設され対向配置して固着される支持柱を備え上部にそれぞれねじ止め手段が設けられた支持部材を有する取付け金具と、
（２）前記ベース板の直上で前記対となる支持柱の間に配置され、前記ベース板の両側より突出する部分を前記垂木にねじ又は釘を介して固定して、前記ベース板を押圧状態で前記下地材に固定する金属製の長尺板とを有する。
【０００９】
請求項４記載のソーラパネル支持金具は、隙間を開けて配置された複数の垂木の上に設けられた下地材上に瓦が並べて配置された屋根に、ソーラパネルを取付けるソーラパネル支持金具であって、
（１）前記垂木に、前記下地材の上からねじ又は釘を介して固定される金属製の長尺板と、
（２）前記下地材上に固定されるベース板と、下部に前記長尺板を横方向に挿通する貫通部を有し、下端が前記ベース板に固定され、上部にはねじ止め手段が設けられた支持部材とを有する取付け金具とを有する。
【００１０】
請求項５記載のソーラパネル支持金具は、請求項３記載のソーラパネル支持金具において、前記ねじ止め手段には、前記対となる支持柱の上から跨がって配置される断面逆Ｕ字状の固定金具が取付けられ、該固定金具に前記ソーラパネルの取付け枠の高さ調整を可能とする高さ調整手段が設けられている。
【００１１】
請求項６記載のソーラパネル支持金具は、請求項４記載のソーラパネル支持金具において、前記ねじ止め手段には、前記ソーラパネルの取付け枠の高さ調整を可能とする高さ調整手段が設けられている。
【００１２】
請求項７記載のソーラパネル支持金具は、請求項５及び６記載のソーラパネル支持金具において、前記高さ調整手段は、長尺の雄ねじと、該雄ねじに螺合する雌ねじと、前記雄ねじに挿通する貫通孔を有し、しかも前記雌ねじの上に設けられる載置台とを有する。
【００１３】
請求項８記載のソーラパネル支持金具は、請求項３〜７記載のソーラパネル支持金具において、前記長尺板は、長さ方向に小間隔で取付け孔が設けられている。
【発明の効果】
【００１４】
請求項１及び２記載のソーラパネル支持金具の取付け構造、及び請求項３〜８記載のソーラパネル支持金具においては、下地材上に載るソーラパネル支持金具を構成するベース板が、ベース板上に載った長尺板を用いて垂木に固定されるので、ベース板を強固に垂木に固定できる。そして、特に、請求項１及び２記載のソーラパネル支持金具の取付け構造において、ソーラパネル支持金具の支持部材は、瓦に形成された例えば切欠き又は開口部から突出しているので、瓦に荷重負担をかけないで、ソーラパネルを取付けることができる。
【００１５】
特に、請求項２記載のソーラパネル支持金具の取付け構造、及び請求項８記載のソーラパネル支持金具においては、金属製の長尺板には長さ方向に小間隔（例えば、３〜６ｃｍ）で取付け孔が形成されているので、垂木（通常、４〜８ｃｍ）の上にいずれかの取付け孔が位置することになり、このいずれかの取付け孔を介してねじ等によって垂木にソーラパネル支持金具を容易に固定できる。
【００１６】
請求項５記載のソーラパネル支持金具においては、ねじ止め手段に固定金具を介してソーラパネルの取付け枠の高さ調整を可能とする高さ調整手段が設けられているので、例えば、瓦の形状又は設置位置に応じて、高さ調整手段により取付け枠の高さ調整を行った後、この取付け枠にソーラパネルを取付けることができる。従って、ソーラパネルに偏荷重をかけることなく、ソーラパネルを取付け枠に容易に取付けることができる。
【００１７】
請求項６記載のソーラパネル支持金具においては、ねじ止め手段にソーラパネルの取付け枠の高さ調整を可能とする高さ調整手段が設けられているので、例えば、瓦の形状又は設置位置に応じて、高さ調整手段により取付け枠の高さ調整を行った後、この取付け枠にソーラパネルを取付けることができる。従って、ソーラパネルに偏荷重をかけることなく、ソーラパネルを取付け枠に容易に取付けることができる。
【００１８】
請求項７記載のソーラパネル支持金具においては、高さ調整手段は、長尺の雄ねじと、雄ねじに螺合する雌ねじと、雄ねじに挿通する貫通孔を有し、しかも雌ねじの上に設けられる載置台とを有しているので、簡単な構成で取付け枠の高さ方向の位置調整ができる。
【発明を実施するための最良の形態】
【００１９】
続いて、添付した図面を参照しつつ、本発明を具体化した実施の形態につき説明し、本発明の理解に供する。
ここで、図１は本発明の第１の実施の形態に係るソーラパネル支持金具の取付け構造を示す斜視図、図２（Ａ）〜（Ｃ）はそれぞれ同ソーラパネル支持金具の取付け構造に使用する取付け金具の平面図、正面図、側面図、図３は同ソーラパネル支持金具の取付け構造の変形例に係るソーラパネル支持金具の斜視図である。図４は本発明の第２の実施の形態に係るソーラパネル支持金具の取付け構造を示す斜視図、図５（Ａ）〜（Ｃ）はそれぞれ同ソーラパネル支持金具の取付け構造に使用する取付け金具の平面図、正面図、側面図である。図６は本発明の第３の実施の形態に係るソーラパネル支持金具の取付け構造を示す斜視図、図７（Ａ）〜（Ｃ）はそれぞれ同ソーラパネル支持金具の取付け金具の平面図、正面図、側面図である。図８はソーラパネルの取付け状態を示す斜視図である。
【００２０】
図１、図２に示すように、本発明の第１の実施の形態に係るソーラパネル支持金具の取付け構造に使用するソーラパネル支持金具１０は、全てが例えばステンレス材を用いて構成され、ソーラパネルをその上部に固定する取付け金具１１と、この取付け金具１１に組み合わせて使用する長尺板１２とを有する。取付け金具１１は、隙間を開けて配置された複数の垂木１３の上に載置される下地材１４上に固定されるベース板１５と、ベース板１５上に立設される支持部材１６とを有している。ベース板１５はこの実施の形態では、例えば、厚みが３〜５ｍｍで長さが１５〜２５ｃｍ、幅が３〜６ｃｍの板からなっている。なお、下地材１４は、通常、垂木１３の上に取付けられる野地板１７と防水シート１８と桟木１９とを有している。
【００２１】
支持部材１６は隙間（例えば、４〜６ｃｍ）を開けて対向する支持柱２０、２１を有している。この支持柱２０、２１はそれぞれ厚みが４〜６ｍｍで、高さが１１〜１５ｃｍ、幅が２．８〜３．５ｃｍの板材からなって、その下端がベース板１５に溶接されている。支持柱２０、２１の間で、上下方向中央より下側は、連結板２２が設けられ、更に連結板２２とベース板１５との間には、高さが１〜２ｃｍで幅が４．５〜５ｃｍの隙間（貫通部）２３を有している。連結板２２の高さ方向の幅は約４ｃｍ程度となっている。また、支持柱２０、２１の外側は補強用のリブ２４、２５が設けられている。
【００２２】
前記した長尺板１２は、厚みが２．５〜４ｍｍ、幅が４〜４．２ｃｍ、長さが５０〜８０ｃｍとなって、取付け金具１１のベース板１５上に形成される隙間２３に横方向に自在に移動可能に嵌入するようになっている。なお、隙間２３の縦方向両側には支持柱２０、２１が設けられているので、隙間２３に挿入された長尺材１２は縦方向には自由に移動できない構造となっている。
この長尺板１２には、図１に示すように、長さ方向（横方向）に３〜５ｃｍの間隔で、縦方向（幅方向）にそれぞれ２つの取付け孔２６、２７が設けられている。この取付け孔２６、２７は表面側に拡径するテーパー形状となって、ねじ又は釘の一例である皿ビス３０の頭部が嵌入するようになっている。なお、長尺板１２には、図３に二点鎖線で示すように、長さ方向（横方向）に３〜５ｃｍの間隔で、長さ方向の内幅が例えば３〜５ｃｍとなった取付け孔の一例である長孔２８を設けることも可能である。この長孔２８は、表面側に拡径するテーパー形状となって、ねじ又は釘の一例である皿ビス３０の頭部が嵌入するように構成されたものであり、更に、下地材１４に対する長尺板１２の位置調整（微調整）を可能とするものである（図１参照）。
【００２３】
従って、このソーラパネル支持金具１０を屋根に取付ける場合には、図１に示すように、所定の位置に取付け金具１１を配置し、ベース板１５に形成されている取付け孔（上下に拡径する皿ビス用の孔）２９に皿ビスを螺入して、ベース板１５を野地板１７上に固定する。そして、次に、長尺板１２を、取付け金具１１の隙間２３に挿通し、適当に移動させて、少なくとも２つの垂木１３の上に、長尺板１２の取付け孔２６、２７が位置するようにし、皿ビス３０で垂木１３に長尺板１２を固定する。これによって、ベース板１５が押圧されてより強固に垂木１３及びその上の野地板１７に固定される。
なお、長尺板１２に長孔２８を設けた場合には、まず長孔２８に皿ビス３０を螺入し、垂木１３に対して長尺板１２を仮止めした後、長尺板１２を長さ方向に位置調整して、少なくとも２つの垂木１３の上に、長尺板１２の取付け孔２６、２７が位置するようにし、皿ビス３０で垂木１３に長尺板１２を固定できる。
【００２４】
次に、ソーラパネル支持金具１０の上に瓦３１を被せる。瓦３１の山部３２には開口部３３が予め形成されている。開口部３３の大きさは対向する支持柱２０、２１（即ち、支持部材１６）の上部が自由に突出できる大きさとなっている。なお、開口部３３の周囲は、平面状となって、支持柱２０、２１が個々に突出する孔３４、３５を有する蓋板３６ａを被せ、周囲をシール材（コーキング材）でシールすることによって雨漏りを防止できる。なお、瓦３１としては、例えば登録意匠第１１１７２８９号公報のものを使用できる。
そして、取付け金具１１の支持柱２０、２１の上部には、ねじ止め手段（ねじ掛止手段）の一例であるねじ孔（貫通孔）３６、３７が設けられているので、このねじ孔３６、３７を用いて図示しないソーラパネルを固定できる。なお、このような取付け金具１１をソーラパネルの周囲に、最低４カ所設けるのが好ましい。
【００２５】
また、図３に示すように、ねじ孔３６、３７には、対となる支持柱２０、２１の上部に上方外側から跨がって配置される断面逆Ｕ字（凹）状又はコ字状の固定金具５４を取付け、これにソーラパネルの取付け枠（図示しない）の高さ調整を可能とする高さ調整手段５３を設けることも可能である。
この高さ調整手段５３は、固定金具５４の上側平面部に取付けられる長尺（例えば、５〜１０ｃｍ程度）の雄ねじの一例であるボルト５５を有している。なお、各支持柱２０、２１の上端面は、固定金具５４の上側支持部５６の下面に当接している。
この固定金具５４の両側壁部には、各支持柱２０、２１のねじ孔３６、３７と軸心を同じくする位置に固定孔５７、５８が設けられており、各ねじ孔３６、３７及び各固定孔５７、５８に挿通されたねじ５９によって、固定金具５４が支持柱２０、２１に取付け固定されている。また、この固定金具５４の上側支持部５６に、上側支持部５６の下方から挿通されたボルト５５の下端部が取付けられ、上側支持部５６の上面からボルト５５に螺着されるナット６０によって、その位置が固定されている。
【００２６】
また、高さ調整手段５３は、ボルト５５の高さ方向に高さ調整可能に設けられた載置板（載置台の一例）６１を有している。この載置板６１は、中央部に貫通孔６０ａが設けられて、その貫通孔６０ａにボルト５５が挿通し、載置板６１の下面側に配置されボルト５５に螺合する雌ねじの一例であるナット６２により、ワッシャー６３を介してその高さ位置が調整可能になっている。なお、載置板６１の貫通孔６０ａにねじをきり、ボルト５５に螺着させることもできる。
これにより、例えば、瓦３１の形状又は配置位置に応じて、ボルト５５の高さ方向に載置板６１の高さを調整できる。この実施の形態において、ボルト５５、ナット６２及び載置板６１を有して、高さ調整手段５３が形成されている。
【００２７】
そして、この載置板６１上に、ソーラパネルの取付け枠（図示しない）を載置した後、ボルト５５に螺着され、取付け枠の上面側に配置されるナット６４により、取付け枠をワッシャー６５を介して載置板６１上に固定する。なお、使用時においては、ナット６４の緩みを防止するため、２つのナットを使用するダブルナットとする。
このように、取付け枠の高さ位置を、高さ調整手段５３により調整できるので、屋根に取付けられる全ての取付け枠の上面を略同一平面に配置でき、ソーラパネルの取付け作業を容易にできる。
【００２８】
続いて、図４、図５を参照しながら、本発明の第２の実施の形態に係るソーラパネル支持金具３９について説明する（なお、前記第１の実施の形態と同一の構成要素は同一の番号を付してその詳しい説明を省略する）。
図４、図５に示すように、本発明の第２の実施の形態に係るソーラパネル支持金具の取付け構造に使用するソーラパネル支持金具３９は、ステンレス材を用いて作られ、取付け金具４０と、この取付け金具４０に組み合わせて使用する長尺板４１とを有する。
【００２９】
取付け金具４０は、下地材１４上に固定されるベース板４２と、ベース板４２上に立設される支持部材４３とを有している。ベース板４２はこの実施の形態では、例えば、厚みが３〜５ｍｍで長さが１５〜２５ｃｍ、幅が３〜６ｃｍのステンレス板からなっている。
支持部材４３は、逆Ｌ字状に曲げられたステンレス板（厚みが３〜５ｍｍ）からなって、その下端部は、下部両側に配置された補強用のリブ４４、４５を介してベース板４２に溶接されている。従って、支持部材４３の下端部とベース板４２との間には隙間（貫通部）４６（第１の実施の形態の隙間２３と同様）が形成されている。
【００３０】
リブ４４、４５は支持部材４３の倒れを防止すると共に、隙間４６を形成するためのものである。支持部材４３の上部には載置部４７が形成され、この部分にねじ止め手段（ねじ掛止手段）の一例である長孔４８が設けられて図示しないソーラパネルの一部が取付けられるようになっている。なお、ベース板４２から載置部４７までの距離は、例えば８〜２０ｃｍである。リブ４４、４５の高さは、使用する瓦４９（図４参照）の山部５０の底部高さより低くなって、リブ４４、４５が瓦４９の山部５０の下部空間に入り込むようになっている。
長尺板４１は第１の実施の形態に使用した長尺板１２と同一であるので、その説明を省略する。
【００３１】
従って、このソーラパネル支持金具３９を使用する場合には、ベース板４２をベース板４２に設けられている複数の取付け孔（皿ビス用の孔）５１ａを用いて、下地材１４上の所定位置に固定する。次に、長尺板４１を取付け金具４０の隙間４６に挿通し、横方向に適当に移動させて、長尺板４１の少なくとも２つ以上の取付け孔２６、２７の位置を垂木１３の直上部に位置させる。取付け孔２６、２７に下部の垂木１３まで届く皿ビス３０を入れて、長尺板４１によって、ベース板４２を押圧しながら、長尺板４１を垂木１３に確りと固定する。
【００３２】
次に、下地材１４の上に瓦４９を載せるが、取付け金具４０が設けられている部分に載置する瓦４９には山部５０の上側に直線状の切欠き５１を形成する。この切欠き５１は、支持部材４３の柱部５２が挿通する幅と長さを有している。これによって、支持部材４３の載置部４７が瓦４９の上から突出するので、この取付け金具４０を介してソーラパネルを屋根上に固定することになる。
【００３３】
続いて、図６、図７を参照しながら、本発明の第３の実施の形態に係るソーラパネル支持金具６６について説明する（なお、前記実施の形態と同一の構成要素は同一の番号を付してその詳しい説明を省略する）。
図６、図７に示すように、ソーラパネル支持金具６６は、ステンレス材を用いて作られ、取付け金具６７と、この取付け金具６７に組み合わせて使用する長尺板６８とを有する。
【００３４】
取付け金具６７は、下地材（図示しない）上に固定されるベース板６９と、ベース板６９上に立設される支持部材７０とを有している。ベース板６９は、平面視して実質的にＴ字状となって、この実施の形態では、例えば、厚みが３〜５ｍｍで全長が１０〜１５ｃｍ、最小幅が３〜６ｃｍ、また長尺板６８と直交する部分の長さＬが１５〜２５ｃｍで幅が３〜６ｃｍのステンレス板からなっている。
支持部材７０は、逆Ｌ字状に曲げられたステンレス板（厚みが３〜５ｍｍ）からなって、その下端部は、支持部材７０の一方側に配置された補強用のリブ７１、７２を介してベース板６９に溶接されている。従って、支持部材７０の下端部とベース板６９との間には隙間（貫通部）７３（第１の実施の形態の隙間２３と同様）が形成されている。
【００３５】
リブ７１、７２は支持部材７０の倒れを防止すると共に、隙間７３を形成するためのものである。支持部材７０の上部には固定部７４が形成され、この部分にねじ止め手段（ねじ掛止手段）の一例であるねじ孔（貫通孔）７５が設けられている。なお、ベース板６９から固定部７４までの距離は、例えば８〜２０ｃｍである。リブ７１、７２の高さは、前記第２の実施の形態のリブ４４、４５と同様の作用効果を奏するように調整されている。
長尺板６８は第１の実施の形態に使用した長尺板１２と同一であるので、その説明を省略する。
【００３６】
また、ねじ孔７５には、ソーラパネル９３の取付け枠７６（図８参照）の高さ調整を可能とする高さ調整手段７７が設けられている。
この高さ調整手段７７は、ねじ孔７５に取付けられた長尺（例えば、５〜１０ｃｍ程度）の雄ねじの一例であるボルト７８を有している。ボルト７８は、支持部材７０の固定部７４の下方からねじ孔７５を挿通して固定部７４にその下端部が取付けられ、固定部７４の上面からボルト７８に螺着されるナット７９によって、その位置が固定されている。
また、高さ調整手段７７は、ボルト７８の高さ方向に高さ調整可能に設けられた載置板（載置台の一例）８０を有している。
【００３７】
この載置板８０は、中央部に貫通孔８０ａが設けられて、その貫通孔８０ａにボルト７８が挿通し、載置板８０の下面側に配置されボルト７８に螺合する雌ねじの一例であるナット８１により、ワッシャー８２を介してその高さ位置が調整可能になっている。なお、載置板８０の貫通孔８０ａにねじをきり、ボルト７８に螺着させることもできる。
これにより、例えば、瓦の形状又は配置位置に応じて、ボルト７８の高さ方向に載置板８０の高さを調整できる。この実施の形態において、ボルト７８、ナット８１及び載置板８０を有して、高さ調整手段７７が形成されている。
【００３８】
そして、ボルト７８の上部を、取付け枠７６の一部を構成する断面逆凹状となった縦枠（縦ラックともいう）８３の上部に形成された長孔８４に挿入しながら（長孔８４の側方に設けられた孔８４ａ、８４ｂでもよい）、長尺板６８と直交する方向であって、載置板８０上に縦枠８３を載置する。次に、ボルト７８に螺着され、縦枠８３の上面側に配置されるナット８５により、ワッシャー８６を介して縦枠８３を載置板８０上に固定する。載置板８０上に縦枠８３を固定した後は、縦枠８３の上面であって縦枠８３に直交する方向に、断面凹状となった横枠（横ラックともいう）８７を載置し、縦枠８３と横枠８７とを、ボルト８８、ワッシャー８９、及びナット９０を使用して固定する。
このように、取付け枠７６の高さ位置を、高さ調整手段７７を使用して調整することで、図８に示すように、屋根に取付けられる全ての取付け枠７６、即ち横枠８７の上面を略同一平面に配置でき、ソーラパネル９３の取付け作業が容易になる。
【００３９】
なお、このソーラパネル支持金具６６を使用する場合には、ベース板６９をベース板６９に設けられている複数の取付け孔（皿ビス用の孔）９１、９２を用いて、下地材上の所定位置に固定する。次に、長尺板６８を取付け金具６７の隙間７３に挿通し、長さ（横）方向に適当に移動させて、長尺板６８の少なくとも２つ以上の取付け孔２６、２７の位置を垂木（図示しない）の直上部に位置させる。下部の垂木まで届く皿ビス（図示しない）を取付け孔２６、２７に入れて、長尺板６８によって、ベース板６９を押圧しながら、長尺板６８を垂木に確りと固定する。
そして、前記した第２の実施の形態のように、下地材の上に瓦を載せる。
【００４０】
また、図８に示すように、取付け枠７６にソーラパネル９３を設置するに際しては、所定間隔（ソーラパネル９３の幅、例えば、５０ｃｍ以上５ｍ以下程度）ごとに配置された隣り合う横枠８７上にソーラパネル９３を配置する。そして、横枠８７上に載置されたソーラパネル９３の両側を、固定プレート（図示しない）を用いて横枠８７に固定する。なお、横枠８７にソーラパネル９３を取付け固定する前に、蓄電池（図示しない）に接続された送電線９４のコネクタ９５をソーラパネル９３に接続しておく。
これにより、ソーラパネル９３を強固に瓦屋根に固定することができる。
なお、第３の実施の形態においては、載置板８０上に縦枠８３を載置したが、図３に示すように、第１の実施の形態の変形例においては、載置板６１上にソーラパネルの取付け枠の例えば縦枠を載置する。
【００４１】
第１、第２の実施の形態において、瓦３１の開口部３３、及び瓦４９の切欠き５１の位置は、瓦３１、４９の配置位置によって決定されるので、予めその位置を下地材１４上に決めておくことになる。
そして、通常４つ以上の取付け金具１１、４０を介してソーラパネルを屋根に固定することになるが、ソーラパネルの取付け寸法と、取付け金具１１、４０との位置は一致しないので、高さ調整手段が設けられていない場合は、別の位置調整用の補助金具（ステンレス製）を用いて、ソーラパネルを取付け金具１１、４０に固定することになる。
【００４２】
前記実施の形態において、理解を容易にするため、具体的な寸法を用いて説明したが、本発明はこの寸法に限定されるものではない。また、各部材の形状についても、具体的に記載しているが、本発明の要旨を変更しない範囲で各部材の形状を変えることもできる。
【産業上の利用可能性】
【００４３】
本発明に係るソーラパネル支持金具の取付け構造及びソーラパネル支持金具によって、ソーラパネルを強固に瓦屋根に固定することができる。
【図面の簡単な説明】
【００４４】
【図１】本発明の第１の実施の形態に係るソーラパネル支持金具の取付け構造を示す斜視図である。
【図２】（Ａ）〜（Ｃ）はそれぞれ同ソーラパネル支持金具の取付け構造に使用する取付け金具の平面図、正面図、側面図である。
【図３】同ソーラパネル支持金具の取付け構造の変形例に係るソーラパネル支持金具の斜視図である。
【図４】本発明の第２の実施の形態に係るソーラパネル支持金具の取付け構造を示す斜視図である。
【図５】（Ａ）〜（Ｃ）はそれぞれ同ソーラパネル支持金具の取付け構造に使用する取付け金具の平面図、正面図、側面図である。
【図６】本発明の第３の実施の形態に係るソーラパネル支持金具の取付け構造を示す斜視図である。
【図７】（Ａ）〜（Ｃ）はそれぞれ同ソーラパネル支持金具の取付け金具の平面図、正面図、側面図である。
【図８】ソーラパネルの取付け状態を示す斜視図である。
【符号の説明】
【００４５】
１０：ソーラパネル支持金具、１１：取付け金具、１２：長尺板、１３：垂木、１４：下地材、１５：ベース板、１６：支持部材、１７：野地板、１８：防水シート、１９：桟木、２０、２１：支持柱、２２：連結板、２３：隙間、２４、２５：リブ、２６、２７：取付け孔、２８：長孔、２９：取付け孔、３０：皿ビス、３１：瓦、３２：山部、３３：開口部、３４、３５：孔、３６、３７：ねじ孔、３６ａ：蓋板、３９：ソーラパネル支持金具、４０：取付け金具、４１：長尺板、４２：ベース板、４３：支持部材、４４、４５：リブ、４６：隙間、４７：載置部、４８：長孔、４９：瓦、５０：山部、５１：切欠き、５１ａ：取付け孔、５２：柱部、５３：高さ調整手段、５４：固定金具、５５：ボルト、５６：上側支持部、５７、５８：固定孔、５９：ねじ、６０：ナット、６０ａ：貫通孔、６１：載置板、６２：ナット、６３：ワッシャー、６４：ナット、６５：ワッシャー、６６：ソーラパネル支持金具、６７：取付け金具、６８：長尺板、６９：ベース板、７０：支持部材、７１、７２：リブ、７３：隙間、７４：固定部、７５：ねじ孔、７６：取付け枠、７７：高さ調整手段、７８：ボルト、７９：ナット、８０：載置板、８０ａ：貫通孔、８１：ナット、８２：ワッシャー、８３：縦枠、８４：長孔、８４ａ、８４ｂ：孔、８５：ナット、８６：ワッシャー、８７：横枠、８８：ボルト、８９：ワッシャー、９０：ナット、９１、９２：取付け孔、９３：ソーラパネル、９４：送電線、９５：コネクタ
【図１】
2005098094.tif 000003
【図２】
2005098094.tif 000004
【図３】
2005098094.tif 000005
【図４】
2005098094.tif 000006
【図５】
2005098094.tif 000007
【図６】
2005098094.tif 000008
【図７】
2005098094.tif 000009
【図８】
2005098094.tif 000010